(57)【要約】      （修正有）【課題】ゴミ入れ容器に、残飯や調理屑を投棄するとき、又は、殺虫剤を容器に吹き込むとき、必ず容器の蓋を開けて作業するが、幼虫は屋、内外に飛散する。害虫が飛散しないゴミ入れ容器を提供する。【解決手段】ゴミ入れ容器１に殺虫剤の細いパイプが通る孔５を、容器の側面上部か又は上部開閉蓋に設ける。この孔５を使用して、蓋を開けずに殺虫剤をゴミ入れ容器１内に噴射すれば、極少量の殺虫剤の使用で完全に殺虫の目的を果し、害虫の飛散もない。【選択図】図１
2009107840.tif 000002
【特許請求の範囲】
【請求項１】
ゴミ入れ容器の外側より、ゴミを入れる容器内に貫通する穿孔を設け、孔を塞ぐ栓、または蓋を設けたことを特徴としたゴミ入れ容器。
【発明の詳細な説明】
【技術分野】
【０００１】  本発明は、一般家庭の害虫の駆除を図ったゴミ入れ容器に関する。
【背景技術】
【０００２】  従来の家庭用のゴミ入れ容器は、投入時とか殺虫時又は容器内のゴミを捨てる時は蓋を開けるので、害虫が一斉に屋内や屋外にひさんした。
【発明の開示】
【発明が解決しょうとする課題】
【０００３】  以上述べた従来のゴミ入れ容器では、害虫の駆除に適した方法とはいえず、むしろ不適切の感があった。
【０００４】  本発明は、此の様な従来の構造が有していた、問題点を解決しようとするものであるね
【課題を解決するための手段】
【０００５】  そして、本発明は上記の目的を達成させるために、ゴミ投入口の蓋の開閉を出来るかぎり制限し、開かずに害虫駆除をすべきであることに着目し、小さい孔を容器に設け殺虫剤の細いパイプが通るだけの、細い穿孔を設けることに留意した。
【０００６】  殺虫剤を細いパイプより容器に噴射するので、少ない量の薬液で充分その目的を果たすことが出来る。
【０００７】  容器蓋を開けずに殺虫するので害虫の飛散は全くなく、噴出した薬液がしばらくすると治まるので、それ以後蓋を開け食品屑等を投棄する。
【０００８】  容器が二重構造になつていて、ゴミを内側の容器に投棄する場合内側の容器まで穿孔しゴミのある場所に殺虫剤が届くよう配慮する。
【０００９】  孔が大きく害虫が逃げ出すような場合は、栓か蓋で密閉することがのぞましい。
【００１０】  勿論、殺虫剤を噴射しても、微弱な圧力であるため屋内や屋外えの汚染の心配はない。
【００１１】  容器に孔を穿つ場合、２重構造の場合、内と外の容器にそれぞれ孔を開けることになるが、５図の上部開閉蓋に穿孔すれば、１箇所で対応可能である。
【００１２】  丸い容器の、２重構造の場合同じ高さに孔を穿孔し、両者の孔のある場所を明示しても、少しのずれで、孔が小さいので、なかなか正確の位置が合わない、それを矩形箱状の容器で行なえば、２重構造の寸法を正しく整うようにし、孔の位置を正確に穿孔しておけば、内容器の孔の位置の指示に従い、外容器の孔と同一面に入れれば、両者の孔の位置はおのづから正しく嵌合する。
【００１３】  孔を塞ぐ挿入孔開閉蓋は、止め具でとれないようにし、当然蓋は必要に応じ、開閉蓋を移動させ、孔を開けたり閉めたり、思いのままに動くよう機能させる。
【発明の効果】
【００１４】  どこの家庭でも、ゴミ捨て容器から飛び出す１ｍｍか２ｍｍぐらいの小蠅の群れには悩まされる、本発明の穿孔よりパイプを挿入し殺虫剤を注入することにより、その煩わしさより解放される、そのうえ殺虫剤は極少量で、殺虫剤の飛散も全く無く無害である。
【発明を実施するための最良の形態】
【００１５】  以下本発明の実施の形態を、図１−図５に基づいて説明する。【００１６】  図に於いては、１はゴミ入れ容器で、２はペタルで上から踏むことにより、４開閉蓋、３はペタルより開閉蓋の連道具カバー、５は殺虫剤パイプ挿入孔、６は挿入孔を密閉する栓、７は栓のふん失を防ぐ紐  ８は矩形箱状ゴミ入れ容器、９は挿入孔開閉蓋、１０は挿入孔開閉蓋止め具。
【図１】
2009107840.tif 000003
【図２】
2009107840.tif 000004
【図３】
2009107840.tif 000005
【図４】
2009107840.tif 000006
【図５】
2009107840.tif 000007
【手続補正書】
【提出日】平成20年11月20日(2008.11.20)
【手続補正１】
【補正対象書類名】明細書
【補正対象項目名】全文
【補正方法】変更
【補正の内容】
【発明の詳細な説明】
【技術分野】
【０００１】    本発明は、一般家庭の害虫の駆除を図ったゴミ入れ容器に関する。
【背景技術】
【０００２】  従来の家庭用のゴミ入れ容器は、投入時とか殺虫時又は容器内のゴミを捨てる時は蓋を開けるので、害虫が一斉に屋内や屋外にひさんした。
【発明の開示】
【発明が解決しょうとする課題】
【０００３】  以上述べた従来のゴミ入れ容器では、害虫の駆除に適した方法とはいえず、むしろ不適切の感があった。
【０００４】  本発明は、此の様な従来の構造が有していた、問題点を解決しようとするものであるね
【課題を解決するための手段】
【０００５】  そして、本発明は上記の目的を達成させるために、ゴミ投入口の蓋の開閉を出来るかぎり制限し、開かずに害虫駆除をすべきであることに着目し、小さい孔を容器に設け殺虫剤の細いパイプが通るだけの、細い穿孔を設けることに留意した。
【０００６】  殺虫剤を細いパイプより容器に噴射するので、少ない量の薬液で充分その目的を果たすことが出来る。
【０００７】  容器蓋を開けずに殺虫するので害虫の飛散は全くなく、噴出した薬液がしばらくすると治まるので、それ以後蓋を開け食品屑等を投棄する。
【０００８】  容器が二重構造になつていて、ゴミを内側の容器に投棄する場合内側の容器まで穿孔しゴミのある場所に殺虫剤が届くよう配慮する。
【０００９】  孔が大きく害虫が逃げ出すような場合は、栓か蓋で密閉することがのぞましい。
【００１０】  勿論、殺虫剤を噴射しても、微弱な圧力であるため屋内や屋外えの汚染の心配はない。
【００１１】  容器に孔を穿つ場合、２重構造の場合、内と外の容器にそれぞれ孔を開けることになるが、５図の上部開閉蓋に穿孔すれば、１箇所で対応可能である。
【００１２】  丸い容器の、２重構造の場合同じ高さに孔を穿孔し、両者の孔のある場所を明示しても、少しのずれで、孔が小さいので、なかなか正確の位置が合わない、それを矩形箱状の容器で行なえば、２重構造の寸法を正しく整うようにし、孔の位置を正確に穿孔しておけば、内容器の孔の位置の指示に従い、外容器の孔と同一面に入れれば、両者の孔の位置はおのづから正しく嵌合する。
【００１３】  孔を塞ぐ挿入孔開閉蓋は、止め具でとれないようにし、当然蓋は必要に応じ、開閉蓋を移動させ、孔を開けたり閉めたり、思いのままに動くよう機能させる。
【発明の効果】
【００１４】  どこの家庭でも、ゴミ捨て容器から飛び出す１ｍｍか２ｍｍぐらいの小蠅の群れには悩まされる、本発明の穿孔よりパイプを挿入し殺虫剤を注入することにより、その煩わしさより解放される、そのうえ殺虫剤は極少量で、殺虫剤の飛散も全く無く無害である。
【図面の簡単な説明】
【００１５】
【図１】円筒状ゴミ入れ容器正面斜視図
【図２】円筒状ゴミ入れ容器側面図
【図３】栓と紐の正面図
【図４】矩形箱状ゴミ入れ容器正面斜視図
【図５】円筒状ゴミ入れ容器の蓋上面面
【符号の説明】
【００１６】１、  円筒状ゴミ入れ容器
２、  ペタル
３、  ペタルより蓋の連道具カバー
４、  開閉蓋
５、  殺虫剤パイプの挿入口
６、  栓
７、  紐
８、  矩形箱状ゴミ入れ容器
９、  挿入孔開閉蓋
１０、挿入孔開閉蓋止め具